(57)【要約】      （修正有）【課題】従来に比してより遮光性能の高いプリーツスクリーンを提供する。【解決手段】スクリーン２、昇降コード５ａ、５ｂ、ピッチ保持コード６ａ、６ｂを備えるプリーツスクリーンであって、スクリーン２には、第１挿通孔２ａ及び第２挿通孔が設けられ、ピッチ保持コード６ａ、６ｂには、垂下方向に沿って複数の保持部７が設けられ、保持部７は、昇降コード５ａ、５ｂの側周を囲うように構成され、第１挿通孔２ａには昇降コード５ａ、５ｂが挿通され、第２挿通孔には保持部７又はスクリーン２に取着されたピン部材が挿通され、第１挿通孔２ａの断面積をＳ１、第２挿通孔の断面積をＳ２とし、Ｓ１＞Ｓ２とした。【選択図】図１
2018193774.tif 000002
【特許請求の範囲】
【請求項１】
スクリーンと、昇降コードと、ピッチ保持コードとを備えるプリーツスクリーンであって、
前記スクリーンには、第１及び第２挿通孔が設けられ、
前記ピッチ保持コードには、垂下方向に沿って複数の保持部が設けられ、
前記保持部は、前記昇降コードの側周を囲うように構成され、
前記第１挿通孔には前記昇降コードが挿通され、前記第２挿通孔には前記保持部又は前記スクリーンに取着されたピン部材が挿通され、
前記第１挿通孔の断面積をＳ１、前記第２挿通孔の断面積をＳ２とし、
Ｓ１＞Ｓ２とした、
プリーツスクリーン。
【請求項２】
Ｓ２／Ｓ１≦０．８を満たす、
請求項１に記載のプリーツスクリーン。
【請求項３】
前記ピッチ保持コードは、前記スクリーンの背面側に垂下され、
前記昇降コードは、第１及び第２昇降コードからなる複数の昇降コードであって、且つ前記スクリーンが遮蔽する面に沿って並列して垂下され、
前記第１昇降コードは、前記複数の昇降コードのうち両端に垂下される昇降コードであり、前記第１挿通孔に挿通され、
前記第２昇降コードは、前記複数の昇降コードのうち両端以外に垂下される昇降コードであり、前記スクリーンの前面側に垂下され、
前記第２挿通孔には、前記保持部が挿通される、
請求項１又は請求項２に記載のプリーツスクリーン。
【請求項４】
前記ピッチ保持コードは、前記スクリーンの背面側に垂下され、
前記昇降コードは、第１及び第２昇降コードからなる複数の昇降コードであって、且つ前記スクリーンが遮蔽する面に沿って並列して垂下され、
前記第１昇降コードは、前記複数の昇降コードのうち両端に垂下される昇降コードであり、前記第１挿通孔に挿通され、
前記第２昇降コードは、前記複数の昇降コードのうち両端以外に垂下される昇降コードであり、前記スクリーンの背面側に垂下され、
前記第２挿通孔には前記ピン部材が挿通され、前記ピン部材又は前記保持部に前記第２昇降コードが挿通される、
請求項１又は請求項２に記載のプリーツスクリーン。
【請求項５】
スクリーンと、昇降コードと、第１及び第２ピッチ保持コードとを備えるプリーツスクリーンであって、
前記スクリーンには、複数の第１挿通孔が設けられ、
前記第１ピッチ保持コードは、垂下方向に沿って複数の保持部が設けられ、
前記第２ピッチ保持コードは、前記第１挿通孔を挿通するように垂下され、
前記保持部は、前記第２ピッチ保持コードの側周を囲うように構成される、
プリーツスクリーン。
【請求項６】
前記第１ピッチ保持コードは、前記スクリーンの前面側又は背面側に垂下される、
請求項５に記載のプリーツスクリーン。
【請求項７】
Ｌ１≠Ｌ２であって、
前記Ｌ１は、前記垂下方向において互いに隣接する前記第１挿通孔間によって規定され且つ前記第１挿通孔に挿通されているコードが前記一方側に露出している部分の長さであり、前記Ｌ２は、当該コードが前記一方側に対向する他方側に露出している部分の長さである、
請求項１〜請求項６の何れか１つに記載のプリーツスクリーン。
【請求項８】
Ｌ２／Ｌ１≦０．７である、
請求項７に記載のプリーツスクリーン。
【請求項９】
スクリーンと、第１及び第２昇降コードと、ピッチ保持コードとを備えるプリーツスクリーンであって、
前記第１及び第２昇降コードは、互いに独立した昇降コードであって、前記第１昇降コードは前記スクリーンの前面側に、前記第２昇降コードは前記スクリーンの背面側にそれぞれ垂下され、
前記ピッチ保持コードには、垂下方向に沿って環状を有する複数の保持部が設けられ、
（１）前記スクリーンには複数のピン部材が取着され、前記ピン部材と前記保持部に前記第２昇降コードが挿通されるか、又は
（２）前記保持部が前記スクリーンを貫通し、前記第１若しくは第２昇降コードが前記環状の中を通過するように構成される、
プリーツスクリーン。
【請求項１０】
前記ピッチ保持コードは、前記背面側に垂下される、
請求項９に記載のプリーツスクリーン
【請求項１１】
前記（１）の構成を備える、
請求項９又は請求項１０に記載のプリーツスクリーン。
【請求項１２】
前記（２）の構成を備える、
請求項９又は請求項１０に記載のプリーツスクリーン。
【発明の詳細な説明】
【技術分野】
【０００１】
この発明は、ジグザグ状に折り曲げ可能としたスクリーンの開度を変更可能なプリーツスクリーンに関する。
【背景技術】
【０００２】
プリーツスクリーンは、上下又は左右方向にジグザグ状に折り曲げ可能としたスクリーンを支持し、そのスクリーンを操作装置により開度を適宜に調節するものである。このようなプリーツスクリーンにおいて、スクリーンに挿通孔が設けられ、スクリーンを昇降させる昇降コード等が当該挿通孔に挿通されるものがある（特許文献１）。
【先行技術文献】
【特許文献】
【０００３】
【特許文献１】実開昭６１−３１２８３号公報
【発明の概要】
【発明が解決しようとする課題】
【０００４】
しかしながら、スクリーンに孔を設けるとプリーツスクリーンの主たる機能である遮光性能を損ねることなる。すなわち、より遮光性能の高いプリーツスクリーンが求められている。
【０００５】
本発明はこのような事情を鑑みてなされたものであり、従来に比してより遮光性能の高いプリーツスクリーンを提供するものである。
【課題を解決するための手段】
【０００６】
本発明の第１観点によれば、スクリーンと、昇降コードと、ピッチ保持コードとを備えるプリーツスクリーンであって、前記スクリーンには、第１及び第２挿通孔が設けられ、前記ピッチ保持コードには、垂下方向に沿って複数の保持部が設けられ、前記保持部は、前記昇降コードの側周を囲うように構成され、前記第１挿通孔には前記昇降コードが挿通され、前記第２挿通孔には前記保持部又は前記スクリーンに取着されたピン部材が挿通され、前記第１挿通孔の断面積をＳ１、前記第２挿通孔の断面積をＳ２とし、Ｓ１＞Ｓ２とした、プリーツスクリーンが提供される。
【０００７】
本発明の第１観点に係るプリーツスクリーンでは、第１及び第２挿通孔が設けられ、第１挿通孔に第１昇降コードが挿通され、第２挿通孔に保持部又はスクリーンに取着されたピン部材が挿通され、第１挿通孔の断面積は、第２挿通孔の断面積よりも大きいことを特徴とする。第２挿通孔は、第１挿通孔に比して小さいため、すなわち、すべての挿通孔の大きさを第１挿通孔とした場合に比して光洩れが抑制可能に構成されている。
【０００８】
以下、本発明の種々の実施形態を例示する。以下に示す実施形態は互いに組み合わせ可能である。
【０００９】
好ましくは、Ｓ２／Ｓ１≦０．８を満たす。
【００１０】
好ましくは、前記ピッチ保持コードは、前記スクリーンの背面側に垂下され、前記昇降コードは、第１及び第２昇降コードからなる複数の昇降コードであって、且つ前記スクリーンが遮蔽する面に沿って並列して垂下され、前記第１昇降コードは、前記複数の昇降コードのうち両端に垂下される昇降コードであり、前記第１挿通孔に挿通され、前記第２昇降コードは、前記複数の昇降コードのうち両端以外に垂下される昇降コードであり、前記スクリーンの前面側に垂下され、前記第２挿通孔には、前記保持部が挿通される。
【００１１】
好ましくは、前記ピッチ保持コードは、前記スクリーンの背面側に垂下され、前記昇降コードは、第１及び第２昇降コードからなる複数の昇降コードであって、且つ前記スクリーンが遮蔽する面に沿って並列して垂下され、前記第１昇降コードは、前記複数の昇降コードのうち両端に垂下される昇降コードであり、前記第１挿通孔に挿通され、前記第２昇降コードは、前記複数の昇降コードのうち両端以外に垂下される昇降コードであり、前記スクリーンの背面側に垂下され、前記第２挿通孔には前記ピン部材が挿通され、前記ピン部材又は前記保持部に前記第２昇降コードが挿通される。
【００１２】
好ましくは、Ｌ１≠Ｌ２であって、前記Ｌ１は、前記垂下方向において互いに隣接する前記第１挿通孔間によって規定され且つ前記第１挿通孔に挿通されているコードが前記一方側に露出している部分の長さであり、前記Ｌ２は、当該コードが前記一方側に対向する他方側に露出している部分の長さである。
【００１３】
好ましくは、Ｌ２／Ｌ１≦０．７である。
【００１４】
本発明の第２観点によれば、スクリーンと、昇降コードと、第１及び第２ピッチ保持コードとを備えるプリーツスクリーンであって、前記スクリーンには、複数の第１挿通孔が設けられ、前記第１ピッチ保持コードは、垂下方向に沿って複数の保持部が設けられ、前記第２ピッチ保持コードは、前記第１挿通孔を挿通するように垂下され、前記保持部は、前記第２ピッチ保持コードの側周を囲うように構成される、プリーツスクリーンが提供される。
【００１５】
本発明の第２観点に係るプリーツスクリーンは、第１及び第２ピッチ保持コードを備え、第１ピッチ保持コードは、垂下方向に沿って複数の保持部が設けられ、第２ピッチ保持コードは、スクリーンに設けられた挿通孔を挿通するように垂下され、保持部が、第２ピッチ保持コードの側周を囲うように構成されることを特徴とする。第２ピッチ保持コードを挿通させる挿通孔は小さくすることができるため、光洩れが抑制可能に構成されている。
【００１６】
好ましくは、前記第１ピッチ保持コードは、前記スクリーンの前面側又は背面側に垂下される。
【００１７】
好ましくは、Ｌ１≠Ｌ２であって、前記Ｌ１は、前記垂下方向において互いに隣接する前記第１挿通孔間によって規定され且つ前記第１挿通孔に挿通されているコードが前記一方側に露出している部分の長さであり、前記Ｌ２は、当該コードが前記一方側に対向する他方側に露出している部分の長さである。
【００１８】
好ましくは、Ｌ２／Ｌ１≦０．７である。
【００１９】
本発明の第３観点によれば、スクリーンと、第１及び第２昇降コードと、ピッチ保持コードとを備えるプリーツスクリーンであって、前記第１及び第２昇降コードは、互いに独立した昇降コードであって、前記第１昇降コードは前記スクリーンの前面側に、前記第２昇降コードは前記スクリーンの背面側にそれぞれ垂下され、前記ピッチ保持コードには、垂下方向に沿って環状を有する複数の保持部が設けられ、（１）前記スクリーンには複数のピン部材が取着され、前記ピン部材と前記保持部に前記第２昇降コードが挿通されるか、又は（２）前記保持部が前記スクリーンを貫通し、前記第１若しくは第２昇降コードが前記環状の中を通過するように構成される、プリーツスクリーンが提供される。
【００２０】
本発明の第３観点に係るプリーツスクリーンは、互いに独立している第１及び第２昇降コードが、スクリーンの前面側及び背面側の両方にそれぞれ垂下され、これらがボトムレールを支持するため、ボトムレールを水平に維持することができる。加えて第１及び第２昇降コードがスクリーンを挿通する構成ではないため挿通孔が設けられておらず、光洩れが抑制可能に構成されている。
【００２１】
好ましくは、前記ピッチ保持コードは、前記背面側に垂下される。
【００２２】
好ましくは、前記（１）の構成を備える。
【００２３】
好ましくは、前記（２）の構成を備える。
【図面の簡単な説明】
【００２４】
【図１】第１実施形態に係るプリーツスクリーンを示す簡略斜視図である。
【図２】第１実施形態に係るプリーツスクリーンのピッチ保持の態様を示す簡略図である。
【図３】第１実施形態に係るプリーツスクリーンを示す正面（前面）図である。
【図４】第１実施形態に係るプリーツスクリーンにおいて、両端部のコード類の配置を示す側面図である。
【図５】第１実施形態に係るプリーツスクリーンにおいて、中央部のコード類の配置を示す側面図である。
【図６】第２実施形態に係るプリーツスクリーンを示す簡略斜視図である。
【図７】第２実施形態に係るプリーツスクリーンを示す正面（前面）図である。
【図８】第２実施形態に係るプリーツスクリーンにおいて、両端部のコード類の配置を示す側面図である。
【図９】第２実施形態に係るプリーツスクリーンにおいて、中央部のコード類の配置を示す側面図である。
【図１０】バノックピン９を示す簡略構成図である。
【図１１】第３実施形態に係るプリーツスクリーンを示す簡略斜視図である。
【図１２】第３実施形態に係るプリーツスクリーンを示す正面（前面）図である。
【図１３】第３実施形態に係るプリーツスクリーンにおいて、両端部のコード類の配置を示す側面図である。
【図１４】第４実施形態に係るプリーツスクリーンを示す簡略斜視図である。
【図１５】第４実施形態に係るプリーツスクリーンを示す正面（前面）図である。
【図１６】第４実施形態に係るプリーツスクリーンにおいて、両端及び中央部のコード類の配置を示す側面図である。
【図１７】第５実施形態に係るプリーツスクリーンを示す簡略斜視図である。
【図１８】第５実施形態に係るプリーツスクリーンを示す正面（前面）図である。
【図１９】第５実施形態に係るプリーツスクリーンにおいて、両端及び中央部のコード類の配置を示す側面図である。
【図２０】第６実施形態に係るプリーツスクリーンを示す簡略斜視図である。
【図２１】第６実施形態に係るプリーツスクリーンを示す正面（前面）図である。
【図２２】第６実施形態に係るプリーツスクリーンにおいて、両端及び中央部のコード類の配置を示す側面図である。
【発明を実施するための形態】
【００２５】
以下、図面を用いて本発明の実施形態について説明する。以下に示す実施形態中で示した各種特徴事項は、互いに組み合わせ可能である。
【００２６】
（第１観点）
１．第１実施形態
図１〜図５は、第１実施形態に係るプリーツスクリーンを示す図である。第１実施形態に係るプリーツスクリーンは、図１に示されるようにヘッドボックス１から上下方向にジグザグ状に折り曲げ可能としたスクリーン２が吊下支持され、そのスクリーン２の下端にボトムレール３が取着されている。スクリーン２は、１枚の生地をジグザク状に折り曲げて形成される。
【００２７】
ヘッドボックス１の長手方向両端部近傍から昇降コード５ａが、同中央から昇降コード５ｂがそれぞれ垂下される。また、垂下される昇降コード５ａ、５ｂの他端は、ヘッドボックス１内において不図示の自重降下防止装置を介して、ヘッドボックス１の一側に案内され且つその一端部から操作コード４として垂下されて操作者の手元付近に位置する。操作者が操作コード４（昇降コード５ａ、５ｂ）を操作することにより、ボトムレール３とともにスクリーン２を昇降することができる。例えば、操作者が昇降コード４を引き出すと、ボトムレール３が引き上げられることにより、スクリーン２が上方に畳み込まれる。なお、自重降下防止装置により、ボトムレール３を任意の位置に位置させることが可能である。つまり、操作者が操作コード４（昇降コード５ａ、５ｂ）の引き出し操作を停止して手放せば、自重降下防止装置が作動してボトムレール３の自重降下が防止され、自重降下防止装置が作動している状態から操作コード４（昇降コード５ａ、５ｂ）を下方へ僅かに引くと、自重降下防止装置の作動が解除されボトムレール３をその自重により下降操作可能となる。
【００２８】
なお、上記の構成に代えて、昇降コード５ａ、５ｂの他端がヘッドボックス１の内部に設けられた巻取軸にそれぞれ取着され、不図示の操作装置の操作により巻取軸に巻取りあるいは巻戻し可能となっている構成であってもよい。そして、昇降コード５ａ、５ｂが巻取軸に巻き取られると、ボトムレール３が引き上げられてスクリーン２が上方に畳み込まれ、昇降コード５ａ、５ｂが巻取軸から巻戻されると、ボトムレール３が下降してスクリーン２が下方へ引き伸ばされる。
【００２９】
幅方向両端の昇降コード５ａは、スクリーン２に設けられた挿通孔２ａ（特許請求の範囲における「第１挿通孔」の一例）を挿通しながら垂下され、幅方向中央の昇降コード５ｂは、スクリーン２の一方側（ここでは、前面側とする）に垂下される。挿通孔２ａは、スクリーン２における各プリーツ片２ｂの略中央に設けられている。スクリーン２の前面側を部屋内側・部屋外側のどちらにしてもよい。昇降コード５ａ、５ｂの下端にボトムレール３が取着されている。
【００３０】
スクリーン２の背面側には、ヘッドボックス１からピッチ保持コード６ａ、６ｂが垂下されている。ピッチ保持コード６ａ、６ｂは、その上端がヘッドボックス１に取着され、下端がボトムレール３に取着されている。そして、ピッチ保持コード６ａ、６ｂは、ボトムレール３が下限まで下降したとき、ほぼ緊張される長さに設定されている。
【００３１】
ピッチ保持コード６ａ、６ｂには、環状の保持部７が等間隔に多数設けられている。図２においては、例としてピッチ保持コード６ｂに設けられた保持部７の態様が示されている。ピッチ保持コード６ａ、６ｂは、縦糸が編み機で糸を編んで形成されるコードであり、そのコードに保持部７を形成するため糸が編みこまれている。そして、その糸が一定間隔毎に環状に露出されて、保持部７が形成されている。
【００３２】
ここで、ピッチ保持コード６ａに関連して、図１及び図４に示されるように、ピッチ保持コード６ａにおける保持部７に、互いに隣接する２つの挿通孔２ａ間で背面側に露出している昇降コード５ａが挿通されていることに留意されたい。換言すると、ピッチ保持コード６ａにおける保持部７は、昇降コード５ａの側周を囲うように構成されている。
【００３３】
一方、ピッチ保持コード６ｂに関連して、図１、図２及び図５に示されるように、スクリーン２には、ピッチ保持コード６ｂの縦糸に接近する折り目に保持部７を挿通可能とした切込み８（特許請求の範囲における「第２挿通孔」の一例）が形成されている。この切込み８は、細い糸で形成される保持部７を挿通し得る程度の幅狭の切込みである。より詳細には、保持部７を挿通する際に使用される器具（糸通し）が挿通し得る程度の大きさを要するもので、切込み８の断面積Ｓ２は、昇降コード５ａが挿通される挿通孔２ａの断面積Ｓ１に比して小さいことを特徴とする。Ｓ２／Ｓ１の値は、例えば０．３以下であり、具体的には例えば、Ｓ２／Ｓ１＝０．３、０．２、０．１、０．０５、０．０４、０．０３、０．０２、０．０１、０．００９、０．００８、０．００７、０．００６、０．００５、０．００４、０．００３、０．００２、０．００１であり、ここで例示した数値の何れか２つの間の範囲内であってもよい。切込み８は、ピッチ保持コード６ｂに近接する折り目の１段おきに形成されていればよい。そして、保持部７をピッチ保持コード６ｂ側から切込み８に挿通し、反対側に露出された保持部７に昇降コード５ｂが挿通されている。換言すると、ピッチ保持コード６ｂにおける保持部７は、昇降コード５ｂの側周を囲うように構成されている。
【００３４】
このような構成により、図１に示されるようにボトムレール３を下限まで下降させたとき、各保持部７の先端部が昇降コード５ａ、５ｂに係合して、各保持部７で各折り目を下方から支持する状態となり、スクリーン２の折り目が等間隔となるように保持される。
【００３５】
次に、上記のように構成されたプリーツスクリーンの作用を説明する。図１に示されるように、ボトムレール３を下限まで下降させると、スクリーン２が下方へ引き伸ばされる。このとき、ボトムレール３はその前後両縁が昇降コード５ａ、５ｂとピッチ保持コード６ａ、６ｂに支持されて、その上面がほぼ水平方向となるように吊下支持されている。
【００３６】
また、ピッチ保持コード６ｂの保持部７によりスクリーン２の切込み８が上下方向に等間隔に保持される。この結果、スクリーン２の各折り目がほぼ等間隔となるように保持される。この状態から、操作者が操作コード４（昇降コード５ａ、５ｂ）を引き出すと、ボトムレール３が引き上げられてスクリーン２が上方に畳み込まれる。上昇中も、中央の昇降コード５ｂがボトムレール３の前面側を、両端部の昇降コード５ａがボトムレール３の背面側を支持するのでボトムレール３の上面は水平状態が維持される。
【００３７】
第１実施形態では、スクリーン２を昇降させる昇降コード５ａ、５ｂのうち、両端の昇降コード５ａがスクリーン２に挿通され、中央の昇降コード５ｂはスクリーン２に挿通されていない。すなわち、スクリーン２に設けられる挿通孔２ａは、スクリーン２の両端部分だけである。通常、遮蔽対象である窓や扉の大きさよりも大きな製品（プリーツスクリーン）を選択するため、両端部分に設けられた挿通孔２ａは窓や扉の外側の壁部分に隣接して位置することとなる。このため、挿通孔２ａから室内へ外光が洩れることが大幅に抑制されている。
【００３８】
また、保持部７が挿通される切込み８は、挿通孔２ａとは異なりスクリーン２の中央部分に設けられることとなるが、あくまでも細い糸で形成される保持部７を挿通し得る程度の幅狭の切込みであるので、切込み８からの外光の洩れを少なくすることができる。
【００３９】
２．第２実施形態
図６〜図１０は、第２実施形態に係るプリーツスクリーンを示す図である。図６及び図７に示されるように、第２実施形態に係るプリーツスクリーンにおいても、ヘッドボックス１の長手方向両端部近傍から昇降コード５ａが、同中央から昇降コード５ｂがそれぞれ垂下され、それらの他端はヘッドボックス１内において不図示の自重降下防止装置を介して、ヘッドボックス１の一側に案内され且つその一端部から操作コード４として垂下されて操作者の手元付近に位置する。操作者が操作コード４（昇降コード５ａ、５ｂ）を操作することにより、ボトムレール３とともにスクリーン２を昇降することができる。幅方向両端の昇降コード５ａは、スクリーン２に設けられた挿通孔２ａを挿通しながら垂下され、幅方向中央の昇降コード５ｂは、第１実施形態とは異なりスクリーン２の背面側に垂下される。昇降コード５ａ、５ｂの下端にボトムレール３が取着されている。第２実施形態においても、挿通孔２ａは、スクリーン２における各プリーツ片２ｂの略中央に設けられている。
【００４０】
また、スクリーン２の背面側には、ヘッドボックス１からピッチ保持コード６ａ、６ｂが垂下されている。ピッチ保持コード６ａ、６ｂには、環状の保持部７が等間隔に多数設けられている。ピッチ保持コード６ａ、６ｂは、縦糸が編み機で糸を編んで形成されるコードであり、そのコードに保持部７を形成するため糸が編みこまれている。そして、その糸が一定間隔毎に環状に露出されて、保持部７が形成されている。
【００４１】
ここで、ピッチ保持コード６ａに関連して、図６及び図８に示されるように、ピッチ保持コード６ａにおける保持部７に、互いに隣接する２つの挿通孔２ａ間で背面側に露出している昇降コード５ａが挿通されていることに留意されたい。換言すると、ピッチ保持コード６ａにおける保持部７は、昇降コード５ａの側周を囲うように構成されている。
【００４２】
一方、ピッチ保持コード６ｂに関連して、ピッチ保持コード６ｂにおける保持部７には、ピッチ保持コード６ｂと同じ背面側に垂下される昇降コード５ｂが挿通される。更に、昇降コード５ｂは、後述のバノックピン９における開口部９ｂにも挿通されていることに留意されたい（図９及び図１０）。これについて以下詳述する。
【００４３】
第２実施形態においては、スクリーン２の一部であってピッチ保持コード６ｂが垂下される部分に、バノックピン９（特許請求の範囲における「ピン部材」の一例）が取着される。バノックピン９は、図１０に示されるように、円環部９ａと、軸部９ｄと、係止部９ｅとを備えるピンである。スクリーン２には不図示のバノック（「ガン」とも称する）を用いてスクリーン２を貫通して取着される。換言すると、バノックピン９の係止部９ｅがスクリーン２を貫通することでスクリーン２には貫通孔８ｂ（特許請求の範囲における「第２挿通孔」の一例）が形成されている。より詳細には、貫通孔８ｂの断面積Ｓ２は軸部９ｄの断面積よりも大きく且つ係止部９ｅの断面積よりも小さく、更に詳細には、貫通孔８ｂの断面積Ｓ２は、昇降コード５ａが挿通される挿通孔２ａの断面積Ｓ１に比して小さいことを特徴とする。Ｓ２／Ｓ１の値は、例えば０．９以下であり、好ましくは０．８以下であり、具体的には例えば、Ｓ２／Ｓ１＝０．８、０．７、０．６、０．５、０．４、０．３、０．２、０．１、０．０５、０．０４、０．０３、０．０２、０．０１、０．００９、０．００８、０．００７、０．００６、０．００５、０．００４、０．００３、０．００２、０．００１であり、ここで例示した数値の何れか２つの間の範囲内であってもよい。バノックピン９は、ピッチ保持コード６ｂに近接する折り目の１段おきに形成されていればよい。
【００４４】
バノックピン９における円環部９ａの内側には開口部９ｂが形成されており、図１０に示されるように、開口部９ｂに昇降コード５ｂが挿通される。バノックピン９がスクリーン２に取着されている状態では、軸部９ｄがスクリーン２を貫通している。上述の通り貫通孔８ｂの断面積Ｓ２は軸部９ｄの断面積よりも大きいが、円環部９ａ及び係止部９ｅの断面積よりは小さく構成される。このため、スクリーン２が円環部９ａと係止部９ｅとに挟まれることにより、スクリーン２にバノックピン９が取着されている。
【００４５】
このような構成により、図６に示されるようにボトムレール３を下限まで下降させたとき、ピッチ保持コード６ａにおける保持部７の先端部が昇降コード５ａに係合し、且つピッチ保持コード６ｂにおける保持部７の先端部がバノックピン９とともに昇降コード５ｂに係合し、各保持部７でスクリーン２における各折り目を下方から支持する状態となり、スクリーン２の折り目が等間隔となるように保持される。
【００４６】
また、第２実施形態においても、スクリーン２を昇降させる昇降コード５ａ、５ｂのうち、両端の昇降コード５ａがスクリーン２に挿通され、中央の昇降コード５ｂはスクリーン２に挿通されていない。すなわち、スクリーン２に設けられる挿通孔２ａは、スクリーン２の両端部分だけである。通常、遮蔽対象である窓や扉の大きさよりも大きな製品（プリーツスクリーン）を選択するため、両端部分に設けられた挿通孔２ａは窓や扉の外側の壁部分に隣接して位置することとなる。このため、挿通孔２ａから室内へ外光が洩れることが大幅に抑制される構成となっている。
【００４７】
３．第３実施形態
図１１〜図１３は、第３実施形態に係るプリーツスクリーンを示す図である。第３実施形態は、第２実施形態の変形例であり、スクリーン２に設けられる挿通孔２ａの位置が第２実施形態と異なり、挿通孔２ａがスクリーン２における各プリーツ片２ｂの略中央から偏心した位置に設けられている。
【００４８】
より詳細には、図１３に示されるように、プリーツ片２ｂの幅ｗ１＋ｗ２として、プリーツ片２ｂの一端から挿通孔２ａの中心までの幅をｗ１、プリーツ片２ｂの他端から挿通孔２ａの中心までの幅をｗ２とすると、ｗ１≠ｗ２であり、ここではｗ１＞ｗ２を満たすことを特徴とする。ｗ２／ｗ１の値は、例えば０．８以下であり、好ましくは０．７以下であり、具体的には例えば、ｗ２／ｗ１＝０．７、０．６、０．５、０．４、０．３、０．２、０．１であり、ここで例示した数値の何れか２つの間の範囲内であってもよい。
【００４９】
また、昇降コード５ａが垂下方向において互いに隣接する挿通孔２ａ間によって規定され且つ背面側に露出している第２昇降コードの部分の長さをＬ１、同前面側に露出している昇降コード５ａの部分の長さをＬ２とすると、Ｌ１≠Ｌ２であり、ここではＬ１＞Ｌ２を満たすことを特徴とする。Ｌ２／Ｌ１の値は、例えば０．８以下であり、好ましくは０．７以下であり、具体的には例えば、Ｌ２／Ｌ１＝０．７、０．６、０．５、０．４、０．３、０．２、０．１であり、ここで例示した数値の何れか２つの間の範囲内であってもよい。
【００５０】
また、第３実施形態においても、スクリーン２を昇降させる昇降コード５ａ、５ｂのうち、両端の昇降コード５ａがスクリーン２に挿通され、中央の昇降コード５ｂはスクリーン２に挿通されていない。すなわち、スクリーン２に設けられる挿通孔２ａは、スクリーン２の両端部分だけである。通常、遮蔽対象である窓や扉の大きさよりも大きな製品（プリーツスクリーン）を選択するため、両端部分に設けられた挿通孔２ａは窓や扉の外側の壁部分に隣接して位置することとなる。このため、挿通孔２ａから室内へ外光が洩れることが大幅に抑制されている。
【００５１】
更に、挿通孔２ａが各プリーツ片２ｂの略中央から偏心した位置に設けられていることにより、互いに隣接する挿通孔２ａどうしの距離が偏心しない場合（第２実施形態）に比して短くなり、これにより挿通孔２ａの存在をより目立ちにくくすることができる。
【００５２】
（第２観点）
４．第４実施形態
図１４〜図１６は、第４実施形態に係るプリーツスクリーンを示す図である。図１４及び図１５に示されるように、第４実施形態に係るプリーツスクリーンでは、ヘッドボックス１の長手方向両端部近傍及び中央から３本の昇降コード５がそれぞれスクリーン２の背面側に垂下される。また、それらの他端はヘッドボックス１内において不図示の自重降下防止装置を介して、ヘッドボックス１の一側に案内され且つその一端部から操作コード４として垂下されて操作者の手元付近に位置する。操作者が操作コード４（昇降コード５）を操作することにより、ボトムレール３とともにスクリーン２を昇降することができる。
【００５３】
また、スクリーン２の背面側には、ヘッドボックス１からピッチ保持コード６（特許請求の範囲における「第１ピッチ保持コード」の一例）が垂下されている。ピッチ保持コード６には、環状の保持部７が等間隔に多数設けられている。ピッチ保持コード６は、縦糸が編み機で糸を編んで形成されるコードであり、そのコードに保持部７を形成するため糸が編みこまれている。そして、その糸が一定間隔毎に環状に露出されて、保持部７が形成されている。
【００５４】
更に、第４実施形態では、両端及び中央のピッチ保持コード６に対応して、同じくヘッドボックス１の長手方向両端部近傍及び中央から保持部挿通コード６ｃ（特許請求の範囲における「第２ピッチ保持コード」の一例）が垂下される。より詳細には、保持部挿通コード６ｃは、スクリーン２に設けられた挿通孔２ｃを挿通しながら垂下され、上端がヘッドボックス１に、下端がボトムレール３に固定されている。そして、ボトムレール３が下限まで下降している際に、保持部挿通コード６ｃが略緊張するような長さで構成される。このため、ボトムレール３を上昇させると各プリーツ片２ｂの間において徐々にたるんでいく。特に前面側においては、隣接するプリーツ片２ｂの開放側から折り目方向に向かってたるむことが好ましい。
【００５５】
ここで、ピッチ保持コード６に関連して、図１４及び図１６に示されるように、ピッチ保持コード６における保持部７に、ピッチ保持コード６に隣接して垂下される昇降コード５と、互いに隣接する２つの挿通孔２ｃ間で背面側に露出している保持部挿通コード６ｃとが挿通されていることに留意されたい。換言すると、ピッチ保持コード６における保持部７は、昇降コード５及び保持部挿通コード６ｃの側周を囲うように構成されている。
【００５６】
このような構成により、図１４に示されるようにボトムレール３を下限まで下降させたとき、ピッチ保持コード６における保持部７の先端部が保持部挿通コード６ｃに係合し、各保持部７でスクリーン２における各折り目を下方から支持する状態となり、スクリーン２の折り目が等間隔となるように保持される。なお、保持部挿通コード６ｃが保持部７に挿通されていればよく、昇降コード５は保持部７に必ずしも挿通されなくてもよい。
【００５７】
ところで、保持部挿通コード６ｃに関連して、第１〜第３実施形態に係る昇降コード５ａもスクリーン２に設けられた挿通孔２ａを挿通する構成を有している（図１、図６及び図１０参照）。しかしながら第４実施形態に係る挿通孔２ｃは、第１〜第３実施形態に係る挿通孔２ａに比してその大きさは小さいものでよい。換言すると、保持部挿通コード６ｃは第１〜第３実施形態に係る昇降コード５ａと異なりボトムレール３を支持して昇降するための太さ（強度）を要するものではない。したがって、より視認度の低いごく細いものが好ましい。このため、保持部挿通コード６ｃを挿通する挿通孔２ｃの大きさを小さくすることができる。その結果、挿通孔２ｃから室内へ洩れる外光はほんのわずかな量にすぎず、外光洩れを効果的に抑制することができる。
【００５８】
（第３観点）
５．第５実施形態
図１７〜図１９は、第５実施形態に係るプリーツスクリーンを示す図である。図１７及び図１８に示されるように、第５実施形態に係るプリーツスクリーンでは、ヘッドボックス１の長手方向両端部近傍及び中央から３対（６本）の昇降コード５ｆ、５ｒ（特許請求の範囲における「第１及び第２昇降コード」の一例）がそれぞれスクリーン２の前面側及び背面側の両方に垂下される。図１７及び図１９に示されるように、１対の昇降コード５ｆ、５ｒは、スクリーン２を介して互いに対向する位置に垂下され、これらは互いに独立したコードであることに留意されたい。つまり、第１〜第４実施形態では、片側から昇降コード５（５ａ、５ｂ含む）でボトムレール３を支持しているが、第５実施形態では、独立した１対の昇降コード５ｆ、５ｒで両端部近傍及び中央においてボトムレール３を支持する構成である。このため、ボトムレール３がより水平に支持することができることを特徴とする。
【００５９】
昇降コード５ｆ、５ｒの他端はヘッドボックス１内において不図示の自重降下防止装置を介して、ヘッドボックス１の一側に案内され且つその一端部から昇降コード４として垂下されて操作者の手元付近に位置する。操作者が操作コード４（昇降コード５ｆ、５ｒ）を操作することにより、ボトムレール３とともにスクリーン２を昇降することができる。
【００６０】
また、スクリーン２の背面側には、ヘッドボックス１からピッチ保持コード６が垂下されている。ピッチ保持コード６には、環状の保持部７が等間隔に多数設けられている。ピッチ保持コード６は、縦糸が編み機で糸を編んで形成されるコードであり、そのコードに保持部７を形成するため糸が編みこまれている。そして、その糸が一定間隔毎に環状に露出されて、保持部７が形成されている。保持部７には昇降コード５ｒが挿通される。
【００６１】
更に、スクリーン２の一部であってピッチ保持コード６が垂下される部分に、不図示のバノックを用いてスクリーン２を貫通してバノックピン９が取着される。換言すると、バノックピン９がスクリーン２を貫通することでスクリーン２には貫通孔８ｂが形成されている。かかるバノックピン９は、第２実施形態において用いたものと同じものを採用してよい。すなわち、バノックピン９における円環部９ａの内側には開口部９ｂが形成されており、図１９に示されるように、開口部９ｂに昇降コード５ｒが挿通される。
【００６２】
このような構成により、図１７に示されるようにボトムレール３を下限まで下降させたとき、ピッチ保持コード６における保持部７の先端部がバノックピン９とともに昇降コード５ｒに係合し、各保持部７でスクリーン２における各折り目を下方から支持する状態となり、スクリーン２の折り目が等間隔となるように保持される。
【００６３】
また、第５実施形態では、スクリーン２に設けられる挿通孔は、スクリーン２の両端部及び中央部ともにバノックピン９が挿通される貫通孔８ｂである。貫通孔８ｂはごく微小な挿通孔であり、室内へ外光が洩れることが大幅に抑制される構成となっている。
【００６４】
６．第６実施形態
図２０〜図２２は、第１実施形態に係るプリーツスクリーンを示す図である。第６実施形態は、第５実施形態の変形例であり、スクリーン２にピッチ保持コード６の縦糸に接近する折り目に保持部７を挿通可能とした切込み８が形成されている（図２２）。この切込み８は、細い糸で形成される保持部７を挿通し得る程度の幅狭の切込みであり、より詳細には、保持部７を挿通する際に使用される器具（糸通し）が挿通し得る程度の大きさを要するものある。切込み８は、ピッチ保持コード６に近接する折り目の１段おきに形成されていればよい。そして、保持部７をピッチ保持コード６側から切込み８に挿通し、背面側において保持部７に昇降コード５ｒが挿通されるとともに、反対側（前面側）に露出された保持部７に昇降コード５ｆが挿通されている。換言すると、ピッチ保持コード６における保持部７は、昇降コード５ｆ、５ｒの側周を囲うように構成されている。
【００６５】
このような構成により、図２０に示されるようにボトムレール３を下限まで下降させたとき、各保持部７の先端部が昇降コード５ｆに係合して、各保持部７で各折り目を下方から支持する状態となり、スクリーン２の折り目が等間隔となるように保持される。なお、昇降コード５ｆが保持部７に挿通されていればよく、昇降コード５ｒは保持部７に必ずしも挿通されなくてもよい。
【００６６】
また、第６実施形態では、スクリーン２に設けられる挿通孔は、スクリーン２の両端部及び中央部ともに保持部７が挿通される切込み８である。切込み８はごく微小な挿通孔であり、室内へ外光が洩れることが大幅に抑制される構成となっている。
【００６７】
７．変形例
第３実施形態では、第２実施形態の一変形例として、挿通孔２ａがスクリーン２における各プリーツ片２ｂの略中央から偏心した位置に設けられていることを説明した。しかしながら、かかる特徴は本実施形態に限定されるものではなく、例えば第１実施形態、第４実施形態等、挿通孔を有する他の実施形態に応用してもよい。
【００６８】
８．結言
以上のように、本実施形態によれば外光の洩れを抑制可能に構成されたプリーツスクリーンを提供することができる。
【００６９】
本発明に係る種々の実施形態を説明したが、これらは、例として提示したものであり、発明の範囲を限定することは意図していない。当該新規な実施形態は、その他の様々な形態で実施されることが可能であり、発明の要旨を逸脱しない範囲で、種々の省略、置き換え、変更を行うことができる。当該実施形態やその変形は、発明の範囲や要旨に含まれるとともに、特許請求の範囲に記載された発明とその均等の範囲に含まれるものである。
【符号の説明】
【００７０】
１    ：ヘッドボックス
２    ：スクリーン
２ａ  ：挿通孔
２ｂ  ：プリーツ片
２ｃ  ：挿通孔
３    ：ボトムレール
４    ：操作コード
５    ：昇降コード
５ａ  ：昇降コード
５ｂ  ：昇降コード
５ｆ  ：昇降コード
５ｒ  ：昇降コード
６    ：ピッチ保持コード
６ａ  ：ピッチ保持コード
６ｂ  ：ピッチ保持コード
６ｃ  ：保持部挿通コード
７    ：保持部
８    ：切込み
８ｂ  ：貫通孔
９    ：バノックピン
９ａ  ：円環部
９ｂ  ：開口部
９ｄ  ：軸部
９ｅ  ：係止部
【図１】
2018193774.tif 000003
【図２】
2018193774.tif 000004
【図３】
2018193774.tif 000005
【図４】
2018193774.tif 000006
【図５】
2018193774.tif 000007
【図６】
2018193774.tif 000008
【図７】
2018193774.tif 000009
【図８】
2018193774.tif 000010
【図９】
2018193774.tif 000011
【図１０】
2018193774.tif 000012
【図１１】
2018193774.tif 000013
【図１２】
2018193774.tif 000014
【図１３】
2018193774.tif 000015
【図１４】
2018193774.tif 000016
【図１５】
2018193774.tif 000017
【図１６】
2018193774.tif 000018
【図１７】
2018193774.tif 000019
【図１８】
2018193774.tif 000020
【図１９】
2018193774.tif 000021
【図２０】
2018193774.tif 000022
【図２１】
2018193774.tif 000023
【図２２】
2018193774.tif 000024